(57)【要約】【課題】張地縁部が枠体の溝より抜け難く、枠体と張地が当たる部分の張地の破れ防止にも対応可能とする。【解決手段】枠体３の溝３ａに挿入する硬めの挿入部１ａと溝３ａの外にはみ出て枠体３と張地２との間に挟まれるエラストマー部１ｂとを有する樹脂コード１を、張地２の周縁部に取付け、樹脂コード１を枠体３の溝３ａに押し込むことで張地２を枠体３に取り付ける椅子の張地の取付構造において、エラストマー部１ｂの枠体３に沿って屈曲する部分４に弾性力を減少させる部分５が形成されている。【選択図】図３
2020062350.tif 000002
【特許請求の範囲】
【請求項１】
枠体の溝に挿入する硬めの挿入部と前記溝の外にはみ出て前記枠体と張地との間に挟まれるエラストマー部とを有する樹脂コードを、前記張地の周縁部に取付け、前記樹脂コードを前記枠体の溝に押し込むことで前記張地を前記枠体に取り付ける椅子の張地の取付構造において、
前記エラストマー部の前記枠体に沿って屈曲する部分に弾性力を減少させる部分が形成されている
ことを特徴とする椅子の張地の取付構造。
【請求項２】
前記弾性力を減少させる部分は窪みであることを特徴とする請求項１記載の椅子の張地の取付構造。
【請求項３】
前記弾性力を減少させる部分は前記エラストマー部の表側の面と裏側の面の双方に設けられた窪みで構成される括れであることを特徴とする請求項１記載の椅子の張地の取付構造。
【請求項４】
前記弾性力を減少させる部分は前記エラストマー部の前記枠体と当接する側の面に波形状に形成されている複数条の窪みであることを特徴とする請求項１記載の椅子の張地の取付構造。
【請求項５】
請求項１から４のいずれか１つに記載の前記樹脂コードは、押し出し成形で造られており、前記弾性力を減少させる部分は、屈曲する部分に長手方向に連続的に設けられていることを特徴とする椅子の張地の取付用樹脂コード。
【請求項６】
請求項１から４のいずれか１つに記載の前記樹脂コードを利用して張地を取り付けた椅子。
【発明の詳細な説明】
【技術分野】
【０００１】
本発明は、椅子の張地の取付構造及び樹脂コード並びに椅子に関する。さらに詳述すると、本発明は、椅子の座や背凭れ等の椅子の構成部品を覆う張地を取り付ける構造及び樹脂コード並びに椅子に関する。
【背景技術】
【０００２】
従来から、椅子の背凭れなどにおいて、メッシュで構成された張地の周縁部にＰＰコード（ポリプロピレン製コード）を縫製し、該ＰＰコードを背枠などの枠体に形成した溝に押し込むことでメッシュ張地を枠体に取り付ける張地の取付構造がある。
【０００３】
この張地の取付構造の場合、硬い背枠とメッシュが当たる部分はメッシュが破れ易い。このため、背凭れ前面の机などの備品の鋭角な部分に繰り返しあるいは強くぶつかると、張地の破れが発生することが起こり得る。これに対応するため、ＰＰコードを２色成形によって、背枠の溝に挿入する硬めの挿入部と溝の外にはみ出て硬い背枠とメッシュとの間に挟まれる柔らかいエラストマー部とに構成することで、エラストマー部が張地と背枠の前面との間に挟まれることで緩衝材として機能させるようにしている（特許文献１）。
【先行技術文献】
【特許文献】
【０００４】
【特許文献１】特開２０１０−１１９４３８号公報
【発明の概要】
【発明が解決しようとする課題】
【０００５】
しかしながら、挿入部とエラストマー部とが同じ肉厚で連続的に一体に形成された平板帯状のＰＰコードは、背枠の溝の外で背枠の形状に沿って反り返るエラストマー部の弾性によって元に戻る力が働き、これが挿入部を背枠の溝から抜け出させようとする力として働いてしまう問題がある。
【０００６】
本発明は、張地縁部が枠体の溝より抜け難く、枠体と張地が当たる部分の張地の破れ防止にも対応可能な椅子の張地の取付構造を提供することを目的とする。
【課題を解決するための手段】
【０００７】
かかる目的を達成するため、請求項１記載の発明は、枠体の溝に挿入する硬めの挿入部と溝の外にはみ出て背枠と張地との間に挟まれるエラストマー部とを有する樹脂コードを、張地の周縁部に取付け、樹脂コードを枠体の溝に押し込むことで張地を枠体に取り付ける椅子の張地の取付構造において、エラストマー部の枠体に沿って屈曲する部分に弾性力を減少させる部分が形成されていることを特徴とする。
【０００８】
ここで、弾性力を減少させる部分は窪み、あるいはエラストマー部の表側の面と裏側の面の双方に設けられた窪みで構成される括れ、若しくはエラストマー部の枠体と当接する側の面に波形状に形成されている複数条の窪みであることが好ましい。
【０００９】
また、請求項１から４のいずれか１つに記載の樹脂コードは、押し出し成形で造られており、弾性力を減少させる部分は、屈曲する部分に長手方向に連続的に設けられていることを特徴とする。
【００１０】
さらに、本発明の椅子は、請求項１から４のいずれか１つに記載の樹脂コードを利用して張地を取り付けるようにしている。
【発明の効果】
【００１１】
請求項１記載の椅子の張地の取付構造によれば、張地と枠体との間に樹脂コードのエラストマー部を介在させることで張地に加わる衝撃をエラストマー部が吸収して張地に与えられるダメージを軽減することができるので、張地の破れを防止して椅子の耐久性を向上させて良好な外観と快適な使用とを長期に亘って継続することが可能になる。
【００１２】
また、エラストマー部の枠体に沿って折れ曲がる箇所に弾性力を減少させる部分が形成されているので、枠体の溝の外側（張地が折り返される方向）の縁に沿って反り返るエラストマー部の元に戻ろうとする力が挿入部を溝から引き抜こうとする力に変換されるのを妨げ（つまり、変形したエラストマー部を元に戻す力を弱くし）、溝に入った挿入部が抜けやすくなることを抑制する。
【００１３】
さらに、エラストマー部に弾性力を減少させる部分を設けることにより、挿入部を枠体の溝に嵌め込む作業の際に、弾性力を減少させる部分よりも先の樹脂コード部分（主に、挿入部とエラストマー部の一部）を容易に枠体の形状に沿って折れ曲がらせることができるので、張地の組み付けもし易くなる。
【図面の簡単な説明】
【００１４】
【図１】本発明の椅子の張地の取付構造に用いられる樹脂コードの一実施形態を示す平面図である。
【図２】図１の樹脂コードの端面図とその拡大図である。
【図３】本発明の椅子の張地の取付構造の実施形態の一例を示す枠体の溝と樹脂コードとの関係を拡大して示す横断面図である。
【図４】樹脂コードの他の実施形態を示す端面図である。
【発明を実施するための形態】
【００１５】
以下、本発明の構成を図面に示す実施形態に基づいて詳細に説明する。なお、本明細書においては、椅子の座の座枠や背凭れの背枠などの張地を取り付けるフレーム部分を総称して枠体と呼ぶ。また、枠体に取り付けられた状態を基準に、張地の表面、裏面は定められる。
【００１６】
図１及び図２に、本発明の椅子の張地の取付構造に使用される樹脂コードの一実施形態を示す。この樹脂コード１は、張地２の周縁部に取付けられて枠体３の溝３ａに押し込まれることで張地２を枠体３に取り付けるものであり、枠体３の溝３ａに挿入する硬めの挿入部１ａと、溝３ａの外にはみ出て枠体３と張地２との間に挟まれる軟質のエラストマー部１ｂとから主に構成されている（図３参照）。
【００１７】
樹脂コード１は、係止部材としての挿入部１ａと緩衝部材としてのエラストマー部１ｂとから成り、例えば２色押し出し成形により長手方向に並べて一体のものとして成形される。なお、樹脂コード１の成形は２色同時成形等による一体成形に限られない。すなわち、挿入部１ａとエラストマー部１ｂとを別々に成形した後に接着、溶着等によって結合させるようにしても良い。
【００１８】
樹脂コード１の挿入部１ａとエラストマー部１ｂとの接合面１ｃは、単純に端面を突き合わせるようにしても良いが、接触面積を増加させて接合強度を増大させることが好ましい。そこで、本実施形態の場合、図２に示すように、横断面形状が円弧にされて接触面積が増加させられている。勿論、この接合面１ｃの形状は、前述の円弧面に限定されず、楔形であったり、斜面であったりしても良い。
【００１９】
挿入部１ａは、枠体３の溝３ａに挿入する際に押し込み易く且つ溝３ａに嵌め込まれた状態から抜け出ないように簡単には折り曲がらない程度の硬さを有する合成樹脂、例えばポリプロピレンによって形成される。
【００２０】
他方、エラストマー部１ｂは、張地２が枠体３に取り付けられた状態で張地２と枠体３との間に介在して外からの物体の衝突に対する緩衝部材として機能するもの、少なくとも枠体３よりも柔らかく弾力性を有する素材で形成される。例えばエラストマー素材、中でもオレフィン系熱可塑性エラストマーの使用が好ましい。
【００２１】
樹脂コード１は、本実施形態の場合、挿入部１ａとエラストマー部１ｂとが同じ肉厚で連続的に一体に形成された平板帯状に押し出し成形される。そして、エラストマー部１ｂの枠体３に沿って屈曲する部分４に、弾性力を減少させる部分５が形成されている。弾性力を減少させる部分５とは、エラストマー部１ｂの弾性力が挿入部１ａを溝３ａから引き抜こうとする力に変換されるのを妨げる部分であり、変形したエラストマー部１ｂを元に戻す力を弱くする部分である。
【００２２】
本実施形態の場合、図１及び図２に示すように、エラストマー部１ｂの枠体３に沿って屈曲する部分４に弾性力を減少させる部分５として窪みが付けられている。窪みは、本実施形態の場合、挿入部１ａとエラストマー部１ｂとの接合面１ｃから僅かに離れたエラストマー部１ｂの表面と裏面の双方に設けられて薄肉部・括れ５として形成されている。この薄肉部によって、エラストマー部１ｂは、挿入部１ａ側の部位と窪みよりも先端側の部位とに分断され、全体に１つのエラストマー材としての弾性を示さなくなってしまう。即ち、エラストマー部１ｂは括れよりも先側が撓むことによって変形し、その力は挿入部１ａ側の部位には伝わらない。
【００２３】
ここで、弾性力を減少させる部分５を構成する上述の窪み即ち薄肉部は、樹脂コードの長手方向に連続した線条であり、連続的に形成される。つまり、弾性力を減少させる部分は、エラストマー部１ｂの先端部を除く他の領域部分と比較して薄肉部に形成されたものである。したがって、２色押し出し成形により樹脂コードを一体成形する際に容易に形成できる。
【００２４】
エラストマー部１ｂが折れ曲がる箇所４とは、張地２の張力が作用する方向が転換される箇所であり、溝３ａの外側（張地２が折り返される方向の）縁である。この折れ曲がる箇所４に弾性力を減少させる部分５を構成する上述の窪み即ち括れが設けられる。通常、樹脂コード１の挿入部１ａの幅（溝深さ方向の長さ）並びにエラストマー部１ｂの窪みあるいは括れ５が設けられている位置は、押し出し成形によって形成される場合には、一定位置となり、予め定められることから、これに合わせて枠体３の溝３ａの深さや溝の縁の幅などが設計される。
【００２５】
弾性力を減少させる部分５は、本実施形態の場合、エラストマー部１ｂの両面に設けた窪みで構成される括れ（薄肉部）であるが、これに特に限られず、枠体３に当たる面に形成される波形の複数条の窪みであったり（図４参照）、図示していないスリットであっても良い。図４に示す波形の複数条の窪みから成る弾性力を減少させる部分５は、エラストマー部１ｂの枠体３に沿って折れ曲がる箇所４が予め明確に特定されていなくとも、エラストマー部１ｂの枠体３に沿って屈曲する部分４にいずれかの窪みが該当することとなる。即ち、波形の複数条の窪みが広範囲に形成されているので、エラストマー部１ｂが折れ曲がる箇所４がいずれかの窪みあるいはその近傍に位置することとなるので、枠体３の形状の変更に対応することが容易である。
【００２６】
樹脂コード１は、張地２の周縁部に沿って挿入部が外側、エラストマー部１ｂが内側に配置されて、挿入部１ａが張地２の裏面に縫合されることによって取付られている。なお、挿入部１ａの張地２への取付方法は縫合に限られず、例えば接着や溶着等によって結合されても良い。
【００２７】
樹脂コード１を周縁部に備える張地２は、枠体３を覆うと共に枠体３の溝３ａに挿入部１ａを嵌め込んで係止させることによって、張地２と枠体３との間にエラストマー部１ｂを介在させた状態で枠体３に取り付けられる。
【００２８】
以上のように構成された本発明の椅子の張地の取付構造によれば、エラストマー部１ｂの折れ曲がる箇所５に弾性力を減少させる部分５例えば窪み（肉薄部）を設けることにより、エラストマー部１ｂの弾性力が挿入部１ａを溝３ａから引き抜こうとする力に変換されるのを妨げて、挿入部１ａが引き抜かれることを防ぐことができる。即ち、枠体３の溝３ａの外で枠体３の形状に沿って反り返るエラストマー部１ｂの弾性によって元に戻る力が働き、これが挿入部１ａを枠体３の溝３ａから抜け出させようとする力として働かない。
【００２９】
また、エラストマー部１ｂに弾性力を減少させる部分５を設けることにより、挿入部１ａを枠体３の溝３ａに嵌め込む作業の際に、弾性力を減少させる部分５よりも先の樹脂コード部分（主に、挿入部１ａとエラストマー部１ｂの一部）を枠体３の形状に沿って容易に折れ曲がらせることができるので、張地の組み付け作業性も良くなる。
【００３０】
さらに、張地２と枠体３との間に樹脂コード１のエラストマー部１ｂを介在させるようにしているので、外からの物体が衝き当たった場合にはエラストマー部１ｂが衝撃を吸収して外からの物体と枠体３とに挟まれる張地２に与えられるダメージを軽減することができ、張地の破れを防止して椅子の耐久性を向上させて良好な外観と快適な使用とを長期に亘って継続することが可能になる。
【００３１】
依って、張地縁部が枠体の溝より抜け難く、枠体と張地が当たる部分の張地の破れ防止にも対応可能となる。
【００３２】
なお、本発明においては、椅子の使用状態において外からの物体と衝き当たる可能性のある部分については、少なくとも張地２と枠体３との間に樹脂コード１のエラストマー部１ｂを介在させるようにしていれば良い。したがって、少なくとも外からの物体と衝き当たる部分においてエラストマー部１ｂを介在させるようにすれば良いとの観点から、張地２の周縁に沿って帯状に取り付けられる樹脂コード１のうち、挿入部１ａと共にエラストマー部１ｂを設けるようにする範囲を適宜設定したり、エラストマー部１ｂの長さ（即ち挿入部１ａからの延出長）を適宜設定することも可能である。すなわち、張地２の周縁に沿って取り付けられる挿入部１ａの全体に亘ってエラストマー部１ｂを設けることは本発明の必須の要件ではなく、また、本発明においてエラストマー部１ｂの長さが特定の長さに限定されるものではない。さらに、エラストマー部１ｂの厚みは、エラストマー部１ｂの素材を考慮して外からの物体の衝突による衝撃を適切に吸収することができる程度の厚さに適宜調整されれば良く、特定の厚さに限定されるものではない。
【００３３】
しかしかながら、エラストマー部の存在は、単に外部からの衝撃を緩和する緩衝材としての機能だけでなく、着座者が座に座ったり背凭れに凭れたりすると張地に荷重がかかって張地と枠体との接触部には摩擦が発生することになるが、張地と枠体との間にエラストマー部が介在していることにより、当該エラストマー部が凹むことによって摩擦力が低減して張地の破れを防止することができるという観点からすると、樹脂コードを必要とする部位の全域において、エラストマー部を有することが好ましい。したがって、張地の全周縁部において、樹脂コードは、挿入部とエラストマー部とを有するものであることが好ましい。
【００３４】
なお、上述の形態は本発明の好適な形態の一例ではあるがこれに限定されるものではなく本発明の要旨を逸脱しない範囲において種々変形実施可能である。例えば、上述の実施形態では、図３に示す断面構造を有する枠体３を例に挙げて説明したが、本発明の椅子の張地の取付構造が適用され得る部品の断面はこれに限られるものではない。すなわち、枠体３の断面構造並びに溝３ａの位置などが図３に示す構成と違う場合でも、樹脂コード１の挿入部１ａを嵌め込む溝３ａを有すると共に張地２と枠体３との間にエラストマー部１ｂを介在させる張地２の取付構造であれば、本発明が適用できることは言うまでもない。
【００３５】
また、上述の実施形態では、挿入部１ａとエラストマー部１ｂとは、２色押し出し成形により同じ肉厚で段差なく一体成形されているが、これに特に限られるものではなく、例えばエラストマー部１ｂを挿入部１ａよりも厚く成形したりすることも可能である。
【符号の説明】
【００３６】
１  樹脂コード
１ａ  挿入部
１ｂ  エラストマー部
２  張地
３  枠体
３ａ  溝
４  エラストマー部の枠体に沿って屈曲する部分
５  弾性力を減少させる部分
【図１】
2020062350.tif 000003
【図２】
2020062350.tif 000004
【図３】
2020062350.tif 000005
【図４】
2020062350.tif 000006